(57)【特許請求の範囲】
【請求項１】
印字用の中央用紙部と、
前記中央用紙部の左右に連接され、中央から両側に開かれる左右用紙部と、
前記中央用紙部と前記左右用紙部の片面の連接部以外の少なくとも１辺の縁部に前記左右用紙部とは別体に形成され、前記中央用紙部と前記左右用紙部とを仮固定した仮固定部と、
を備えた出力用帳票を使用する出力用帳票の使用方法であって、
前記中央用紙部の外側の面に個別情報を印字し、
前記仮固定部の固定を解き、
前記左右用紙部を前記連接部から折り返し、
前記中央用紙部のほぼ中央部から前記左右用紙部が内側になるように折り返して、冊子を作製すること
を特徴とする出力用帳票の使用方法。
【請求項２】
印字用の中央用紙部と、
前記中央用紙部の左右に連接され、中央から両側に開かれる左右用紙部と、
前記中央用紙部と前記左右用紙部の片面の連接部以外の少なくとも１辺の縁部に前記左右用紙部とは別体に形成され、前記中央用紙部と前記左右用紙部とを仮固定した仮固定部とを備え、
前記左右用紙部の外側の面には、この左右用紙部を開きしたときに、この左右用紙部の外側の面と同一面となる前記中央用紙部の外側の面に印字されるべき個別情報に関連する関連情報が印刷又は印字されている出力用帳票を使用する出力用帳票の使用方法であって、
前記中央用紙部の外側の面に個別情報を印字し、
前記仮固定部の固定を解き、
前記左右用紙部を前記連接部から折り返し、
前記中央用紙部のほぼ中央部から前記左右用紙部が内側になるように折り返して、冊子を作製すること
を特徴とする出力用帳票の使用方法。
【発明の詳細な説明】
【０００１】
【発明の属する技術分野】
本発明は、生命保険の設計書などをプリンタによって出力するのに好適な出力用帳票の使用方法に関するものである。
【０００２】
【従来の技術】
図４は、第１の従来例に係る出力用帳票を示す図である。
この出力用帳票４０は、図４（Ａ１），（Ａ２）に示すように、２枚の第１及び第２用紙４１，４２とから構成され、それぞれの第１及び第２用紙４１，４２は、中央部のミシン目ｃ，ｄから、左用紙部４１ａ，右用紙部４１ｂ及び左用紙部４２ａ，右用紙部４２ｂに区画されている。
なお、本明細書において、各用紙部の符号に対して（−１）の添え字は表面を、（−２）の添え字は裏面を表すものとする。
【０００３】
また、接着層４３ａ，４３ｂは、第２用紙４２の左用紙部４２ａの両端部に形成されており、第１用紙４１の左用紙部４１ａと第２用紙４２の左用紙部４２ａとを仮接着している。
【０００４】
図４（Ｂ）に示すように、この出力用帳票４０を、プリンタ３１にセットして、第１用紙４１の各表面４１ａ−１，４１ｂ−１（印字面Ｐ）に保険設計書の個人情報に基づく設計内容Ｘを印字する。その後に、図４（Ｃ）に示すように、粘着層４３ａを剥がして、ミシン目ｃ，ｄから矢印Ｃ，Ｄ方向に折り返し、図４（Ｄ）のような冊子を作製する。
【０００５】
図５は、第２の従来例に係る出力用帳票を示す図である。
この出力用帳票５０は、２枚の第１及び第２用紙５１，５２とからなり、第１用紙５１の左端部には、糊代部５１ａを残して、ミシン目ｅによって、折り返されている。
また、粘着層５３ａ，５３ｂは、第２の用紙の表面５２−１の両端に形成されており、第１及び第２用紙５１，５２を仮接着している。
【０００６】
図５（Ｂ）に示すように、この出力用帳票５０を、プリンタ３１にセットして、第１用紙５１の表面５１−１（印字面Ｐ）に保険設計書の個人情報に基づく設計内容Ｘを印字する。
その後に、図５（Ｃ）に示すように、粘着層５３ｂを剥がして、ミシン目ｅから矢印Ｅ方向に折り返し、印字面Ｐである第１用紙５１の表面５１−１を内側にし、表紙が印刷されている第２用紙５２の表面５２−１を表側に出す。さらに、各用紙５１，５２を中央部から２つ折りにして、図５（Ｅ）のような冊子を作製する。
【０００７】
【発明が解決しようとする課題】
前述した従来の出力用帳票４０は、保険設計書として使用した場合に、図４（Ａ２）示すように、第１用紙４１の表面４１ａ−１，４１ｂ−１が設計印字面Ｐ，第１及び第２の左側用紙部の裏面４１ｂ−２，４２ｂ−２が表紙印刷面Ｑ，その他の面４１ａ−２，４２ａ−１，４２ａ−２，４２ｂ−１が説明印刷面Ｒとなる。
【０００８】
この出力用帳票４０は、２枚重ねのカット紙の状態でプリンタ３１にかけ、出力後に、粘着層４３ａを剥がして、設計印字面Ｐを内側にして、表紙印刷面Ｑを表に出すようにして、それぞれ２つ折りにして、契約見込者に渡していた。
しかし、印字を行った個別の設計印字面Ｐと説明印刷面Ｒが別ページで、しかも複数枚に渡っているので、一覧性がなく見にくい、という問題があった。
【０００９】
また、出力用帳票５０も、図５（Ｅ）に示すように、第１用紙の表面５１−１が設計印字面Ｐ、第１用紙の裏面５１−２，第２用紙の裏面５２−２が説明印刷面Ｒとなり、同様にして、一覧性がなかった。
【００１０】
さらに、前記何れの出力用帳票４０，５０も、２枚の用紙を使用するので、連続で印刷して、コレーターによって帳合いを行わなければならず、製造コストがかかる、という問題があった。
【００１１】
本発明の課題は、プリンタによって、効率よく出力でき、印字面を中央にして見やすく、一覧性のあるレイアウト設計が可能となる出力用帳票の使用方法を提供することである。
【００１２】
【課題を解決するための手段】
前記課題を解決するために、請求項１の発明は、印字用の中央用紙部と、前記中央用紙部の左右に連接され、中央から両側に開かれる左右用紙部と、前記中央用紙部と前記左右用紙部の片面の連接部以外の少なくとも１辺の縁部に前記左右用紙部とは別体に形成され、前記中央用紙部と前記左右用紙部とを仮固定した仮固定部と、を備えた出力用帳票を使用する出力用帳票の使用方法であって、前記中央用紙部の外側の面に個別情報を印字し、前記仮固定部の固定を解き、前記左右用紙部を前記連接部から折り返し、前記中央用紙部のほぼ中央部から前記左右用紙部が内側になるように折り返して、冊子を作製することを特徴とする出力用帳票の使用方法である。
【００１３】
請求項２の発明は、印字用の中央用紙部と、前記中央用紙部の左右に連接され、中央から両側に開かれる左右用紙部と、前記中央用紙部と前記左右用紙部の片面の連接部以外の少なくとも１辺の縁部に前記左右用紙部とは別体に形成され、前記中央用紙部と前記左右用紙部とを仮固定した仮固定部とを備え、前記左右用紙部の外側の面には、この左右用紙部を開きしたときに、この左右用紙部の外側の面と同一面となる前記中央用紙部の外側の面に印字されるべき個別情報に関連する関連情報が印刷又は印字されている出力用帳票を使用する出力用帳票の使用方法であって、前記中央用紙部の外側の面に個別情報を印字し、前記仮固定部の固定を解き、前記左右用紙部を前記連接部から折り返し、前記中央用紙部のほぼ中央部から前記左右用紙部が内側になるように折り返して、冊子を作製することを特徴とする出力用帳票の使用方法である。
【００１５】
【発明の実施の形態】
以下、図面等の参照して、本発明の実施の形態をあげて、さらに詳しく説明する。
図１は、本発明による出力用帳票の実施形態を示す図、図２は、本実施形態に係る出力用帳票の使用方法を示す図、図３は、本実施形態の出力用帳票の具体例に示す図である。
この実施形態の出力用帳票１０は、図１（Ａ）に示すように、長さＬ＝２８インチ×幅Ｗ＝１０インチの１枚の細長い用紙１１を、折り線ａ，ｂによって、中央の長さＬ１＝１４インチで、左右の長さＬ２＝Ｌ３＝７インチの３つの中央，左及び右用紙部１１ａ，１１ｂ，１１ｃに区画された形態である。
中央用紙部１１ａは、印字面Ｐとなる部分であり、プリンタ２１によって印字できるサイズである。また、中央用紙部１１ａは、プリンタによって印字面Ｐを中央に効率よく出力でき、一覧性のあるデザインが可能になる。
【００１６】
中央用紙部１１ａは、その表面１１ａ−１の上下端部に弱接着層１２ａ，１２ｂが形成されており、左右用紙部１１ｂ，１１ｃの表面１１ｂ−１，１１ｃ−１の上下端部には、ニス等により粘着抑制層１３ａ，１３ｂ，１４ａ，１４ｂが形成されている。
折り返しの部分は、印字する際プリンタでひっかかってジャムをおこさず、かつ、簡単に剥がれて折り直しが出来る程度の強度で接着（糊加工）を行う。
【００１７】
この出力用帳票１０は、図１（Ｂ）に示すように、折り線ａ，ｂによって、３つに谷折りされ、弱接着層１２と粘着抑制層１３，１４とが密着され、仮接着される。
このときに、図１（Ｃ）に示すように、左右用紙部１１ｂ，１１ｃは、δ＝３ｍｍ程度の隙間が開くように設定されており、後に剥離しやすくしている。
【００１８】
次に、図２を参照して、本実施形態の出力用帳票の使用方法を説明する。
まず、図２（Ａ）に示すように、図１（Ｃ）の完成図のものを、中央用紙部の裏面１１ａ−２を印字側にセットして、設計内容を印字する。
次に、弱接着層１２と、粘着抑制層１３，１４とを剥がして、図２（Ｂ），（Ｃ）に示すように、左右用紙部の表面１１ａ−１，１１ｃ−１が表側になるように（矢印Ｂ１，Ｂ２）に折り返す。
さらに、図２（Ｄ）に示すように、中央用紙部１１ａの中央から、表面１１ａ−１が表側になるように、２つに折り返し、保険設計書が完成する。
【００１９】
つまり、図３（Ａ）に示すように、中央用紙部の裏面１１ｂ−２は、保険の設計内容を印字した設計印字面Ｐであり、左右用紙部の裏面１１ｂ−２，１１ｃ−２は、中央用紙部の裏面１１ａ−２に関連する説明分が印刷された説明印刷面Ｒである。したがって、見開きにしたときに、設計印字面Ｐの具体的内容（数値等）と、説明印刷面Ｒの詳細な説明が一覧できるように配置できる。
【００２０】
また、図３（Ｂ）に示すように、中央用紙部の表面１１ａ−１は、印字後に、折り畳んだときに、右側が表、左側が裏の表紙印刷面Ｑになる。左右用紙部の表面１１ｂ−１，１１ｃ−１は、設計印字面Ｐとは密接に関係していない一般な説明文（説明印刷面Ｓ）が印刷されている。
【００２１】
以上説明したように、本実施形態は、１枚の細長い用紙１１を仮接着加工を施して、出力用帳票１０に仕上げたものであって、プリンタ２１によって、中央用紙部の裏面１１ａ−２の印字面Ｐに効率よくプリンタ出力でき、見開きにしたときに、その両側に配置された説明印刷面Ｒとの一覧性のあるデザインが可能になる。
また、中央用紙部と左右用紙部が連接された１枚の用紙によって構成されるこめに、枚葉による印字進行が可能となる。
【００２２】
以上説明した実施形態に限定されることなく、種々の変形や変更が可能であって、それらも本発明の均等の範囲内である。
例えば、中央用紙部と左右用紙部の間に、他の用紙部を挟み込み、冊子部を作製してもよい。
【００２３】
【発明の効果】
以上詳しく説明したように、本発明によれば、中央用紙部の両側に左右用紙部が連接されているので、中央用紙部に重要な個別情報を中心に印字し、その個別情報に対する説明文などの関連情報を左右用紙部に印刷しておけるので、見やすく一覧性のある帳票が実現できた。
また、中央用紙部と左右用紙部が連接された１枚の用紙によって構成されるので、印刷や粘着層の形成などが容易で、コストダウンが図れる。
【図面の簡単な説明】
【図１】本発明による出力用帳票の実施形態を示す図である。
【図２】本実施形態の出力用帳票の具体例に示す図である。
【図３】本実施形態に係る出力用帳票の使用方法を示す図である。
【図４】第１の従来例に係る出力用帳票を示す図である。
【図５】第２の従来例に係る出力用帳票を示す図である。
【符号の説明】
１０  出力用帳票
１１  用紙
１１ａ  中央用紙部
１１ｂ，１１ｃ  左，右用紙部
１２（１２ａ，１２ｂ）  弱接着層
１３（１３ａ，１３ｂ），１４（１４ａ，１４ｂ）  粘着抑制層
【図１】
0003827385.tif 000002
【図２】
0003827385.tif 000003
【図３】
0003827385.tif 000004
【図４】
0003827385.tif 000005
【図５】
0003827385.tif 000006